(57)【特許請求の範囲】
【請求項１】
一端が錠箱内の施錠機構に連結され他端面に着脱穴の穿設されたサムターン軸と、
前記他端面を表出させる表出穴を有し該サムターン軸を覆う化粧リングと、
該化粧リング内で摺動自在に設けられ摺動位置によって前記表出穴の少なくとも一部分を覆い又は全開させる操作部材と、
前記サムターン軸に連動することで施錠標示領域又は解錠標示領域を前記化粧リングの状態表示窓から表出させる標示部材と、
前記着脱穴との間に亘って設けられた回転向き規制手段によって前記サムターン軸の回転角度に応じた所定の回転角度で前記着脱穴に着脱自在となった着脱軸を先端に有し該着脱軸の基端には板状の摘み部が軸線と平行に固設された着脱サムターンと、
を具備し、
前記着脱穴が略四角形角穴で形成され、
前記着脱軸の先端が該着脱穴に嵌入する四角柱で形成され、
前記着脱穴の略四角形各穴中心に円柱状の嵌合軸が突設され、
前記着脱軸の先端に該嵌合軸に嵌合する嵌合穴が穿設されており、
前記回転向き規制手段は、前記着脱軸の外側２面に突設される突起と、前記着脱穴の対向する２つの内面に形成される切欠部とからなり、該切欠部に前記突起が進入して前記着脱穴と着脱軸とが嵌合しあい、
前記着脱サムターンの装着時には、前記サムターン軸の施解錠状態と一致する回転向きで装着することができることを特徴とする防犯サムターン。
【請求項２】
前記標示部材が、解錠標示領域を挟んで一対の施錠標示領域を有することを特徴とする請求項１記載の防犯サムターン。
【請求項３】
前記着脱サムターンの装着状態で、該着脱サムターンの軸部に形成された周溝に前記操作部材の縁部が進入して該着脱サムターンの前記着脱穴からの抜脱が規制されることを特徴とする請求項１又は２記載の防犯サムターン。
【請求項４】
前記操作部材が、付勢手段によって前記着脱穴の少なくとも一部分を覆う摺動位置に配置されることを特徴とする請求項１，２，３のいずれか１つに記載の防犯サムターン。
【請求項５】
前記サムターン軸には外周にサムターン歯車が形成され、前記標示部材には歯部が形成されて、互いが噛合し連動連結されることを特徴とする請求項１，２，３，４のいずれか１つに記載の防犯サムターン。
【発明の詳細な説明】
【技術分野】
【０００１】
本発明は、扉の施解錠に用いられるサムターンを無効可能にして防犯性の向上を図る防犯サムターンに関する。
【背景技術】
【０００２】
従来、サムターン付きの施錠装置は、扉などの開閉体に錠箱が内蔵され、錠箱には、開閉体の屋外側に露出するシリンダー錠と、開閉体の屋内側に露出する回転式のサムターンとが設けられている。
錠箱には、ロック部材である例えばデッドボルトが開閉体の端面（木口）から進退自在に設けられている。
【０００３】
この種の施錠装置では、屋外側に露出したシリンダー錠の鍵孔に、合鍵（キー）を挿入して回転操作することによって、開閉体の木口よりデッドボルトが進退され、建物躯体側の開閉体枠である開口枠体に設けたストライクに対して施解錠が行われるようになっている。
また、屋内側からは、サムターンの摘みが回転操作されるのみで、デッドボルトが進退され、開閉体の施解錠が簡便に行えるようになっている。
【特許文献１】特許第３２８４８８４号公報  （図１）
【発明の開示】
【発明が解決しようとする課題】
【０００４】
近年、マンションや住宅の玄関扉等の開閉体、或いはこれら玄関扉等の開閉体近傍における開口枠体の周囲である壁部分に、高級感や優美性を高める目的で、ガラス板を嵌め込んだ小窓が多用されるようになっている。
【０００５】
ところが、このような小窓を有する開閉体や、近傍に小窓が設けられた開閉体では、小窓のガラス板が割られると、外部から手を差し入れて開閉体のサムターンを不正に操作したり、先端を鉤状に曲げた針金や棒等を挿入して、サムターンが不正に操作されてしまう虞れがある。
【０００６】
一般的に、扉に多用される回転式のサムターンは、上記特許文献１の図１にあるように屋内側に露出する摘みが回動中心から半径方向外側に翼部を張り出させた形状であるため、この翼板部に、針金等を曲げた鉤状先端を掛止し、回転モーメントを与えることにより不正な解錠操作が可能となる場合があった。
また、サムターンは、上記した小窓の無い開閉体においても、郵便ポストの投入開口など、針金を挿入する穴や隙間が開閉体自体或いは開閉体近傍の壁部にあれば、同様に不正解錠される虞があった。
【０００７】
本発明は上記状況に鑑みてなされたもので、挿入した針金や棒等をサムターンに引っ掛けて、サムターンを回転することによる不正解錠を阻止できる防犯サムターンを提供し、防犯性の向上を図ることを目的とする。
【課題を解決するための手段】
【０００８】
次に、上記の課題を解決するための手段を、実施の形態に対応する図面を参照して説明する。
本発明の請求項１記載の防犯サムターンは、一端が錠箱１３内の施錠機構１５に連結され他端面に着脱穴２５の穿設されたサムターン軸２３と、
前記他端面を表出させる表出穴３５を有し該サムターン軸２３を覆う化粧リング３１と、
該化粧リング３１内で摺動自在に設けられ摺動位置によって前記表出穴３５の少なくとも一部分を覆い又は全開させる操作部材３９と、
前記サムターン軸２３に連動することで施錠標示領域又は解錠標示領域を前記化粧リング３１の状態表示窓３１ｂから表出させる標示部材４７と、
前記着脱穴２５との間に亘って設けられた回転向き規制手段５３によって前記サムターン軸２３の回転角度に応じた所定の回転角度で前記着脱穴２５に着脱自在となった着脱軸５１ａを先端に有し該着脱軸５１ａの基端には板状の摘み部５１ｂが軸線と平行に固設された着脱サムターン５１と、
を具備し、
前記着脱穴２５が略四角形角穴で形成され、
前記着脱軸５１ａの先端が該着脱穴２５に嵌入する四角柱で形成され、
前記着脱穴２５の略四角形各穴中心に円柱状の嵌合軸５５が突設され、
前記着脱軸５１ａの先端に該嵌合軸５５に嵌合する嵌合穴５７が穿設されており、
前記回転向き規制手段５３は、前記着脱軸５１ａの外側２面に突設される突起５１ｃ，５１ｃと、前記着脱穴２５の対向する２つの内面に形成される切欠部２５ａ，２５ａとからなり、該切欠部２５ａ，２５ａに前記突起５１ｃ，５１ｃが進入して前記着脱穴２５と着脱軸５１ａとが嵌合しあい、
前記着脱サムターン５１の装着時には、前記サムターン軸２３の施解錠状態と一致する回転向きで装着することができることを特徴とする。
【０００９】
この防犯サムターンでは、着脱サムターン５１が取り外すことが可能となることで、挿入した針金や棒等をサムターンに引っ掛けて、サムターンを回転することによる不正解錠が阻止される。そして、着脱サムターン５１の装着時には、サムターン軸２３の施解錠状態と一致する回転向きで着脱サムターン５１が装着される。また、着脱サムターン５１が、通常のサムターンと同一外観を有するので、装着したままでも違和感が無い。さらに、化粧リング３１の状態表示窓から施解錠状態に応じた施錠標示領域、又は解錠標示領域が表出され、着脱サムターン５１が脱着され、摘み部５１ｂが視認できない場合であっても、施錠機構１５の施解錠状態が把握可能となる。
【００１１】
また、この防犯サムターンでは、サムターン軸２３と着脱サムターン５１とが二重の嵌合構造で嵌合され、軸線方向の短い嵌合長でガタツキの無い確実な嵌合が可能となる。
【００１２】
請求項２記載の防犯サムターンは、前記標示部材４７が、解錠標示領域を挟んで一対の施錠標示領域を有することを特徴とする。
【００１３】
この防犯サムターンでは、通常摘み部５１ｂが垂直状態が解錠とされ、摘み部５１ｂが水平な状態を施錠状態とされるので、化粧リング３１の状態表示窓３１ｂに解錠標示領域が標示されている状態から、着脱サムターン５１が右回転又は左回転のいずれの回転方向に回転されても、施錠標示領域が標示可能となる。
【００１４】
請求項３記載の防犯サムターンは、前記着脱サムターン５１の装着状態で、該着脱サムターン５１の軸部に形成された周溝５９に前記操作部材３９の縁部４３ａが進入して該着脱サムターン５１の前記着脱穴２５からの抜脱が規制されることを特徴とする。
【００１５】
この防犯サムターンでは、着脱サムターン５１の装着状態で、着脱サムターン軸部の周溝５９に操作部材３９の縁部４３ａが進入し、着脱サムターン５１の軸線方向の移動が規制され、すなわち、着脱サムターン５１は脱落することなく装着されたままの状態となる。
【００１６】
請求項４記載の防犯サムターンは、前記操作部材３９が、付勢手段４１によって前記着脱穴２５の少なくとも一部分を覆う摺動位置に配置されることを特徴とする。
【００１７】
この防犯サムターンでは、着脱サムターン５１が脱着された状態で、化粧リング３１の表出穴３５が付勢手段４１によって摺動配置された操作部材３９によって覆われる。そして、着脱穴２５を全開させるためには、付勢手段４１の付勢力に抗して、操作部材３９を摺動保持しなければならない。したがって、棒等を着脱穴に挿入することによるサムターン軸２３の不正回動操作が困難となる。
【００１８】
請求項５記載の防犯サムターンは、前記サムターン軸２３には外周にサムターン歯車２３ａが形成され、前記標示部材４７には歯部４７ａが形成されて、互いが噛合し連動連結されることを特徴とする。
【００１９】
この防犯サムターンでは、サムターン軸２３と標示部材４７とが歯車が噛み合うように構成されることから、標示部材４７はサムターン軸２３の回転に確実に従動することとなる。
【発明の効果】
【００２０】
本発明に係る請求項１記載の防犯サムターンによれば、一端が施錠機構に連結され他端面に着脱穴を有したサムターン軸を、表出穴を介し着脱穴を表出させた状態で化粧リングによって覆い、化粧リングには少なくとも一部分を覆い又は全開させる操作部材を設け、さらに、サムターン軸に連動することで施錠標示領域又は解錠標示領域を化粧リングの状態表示窓から表出させる標示部材を有し、サムターン軸の回転角度に応じた所定の回転角度で着脱穴に着脱自在となった着脱サムターンを備えたので、着脱サムターンを脱着しておくことで、外出時や就寝時等、挿入した針金や棒等をサムターンに引っ掛けて、サムターンを回転することによる不正解錠を阻止でき、防犯性を向上させることができる。そして、着脱サムターンの装着時には、サムターン軸の施解錠状態と一致する回転向きで着脱サムターンを装着することができる。これにより、摘み部の垂直又は水平姿勢により容易に施錠機構の施解錠状態を視認することができる。また、着脱サムターンが、基端に板状の摘み部を有する通常のサムターンと同一外観を有するので、着脱サムターンを装着したままであっても、通常のサムターンと違和感の無い使用感を得ることができる。さらに、サムターン軸と連動する標示部材により、化粧リングの状態表示窓から施解錠状態に応じた施錠標示領域、又は解錠標示領域を表出できるので、着脱サムターンが脱着され、摘み部が視認できない場合であっても、状態表示窓から施錠機構の施解錠状態を容易に把握することができる。
【００２１】
また、この防犯サムターンによれば、多角形穴となったサムターン軸他端面の着脱穴の中心に嵌合軸が突設され、サムターン軸の先端にはこの嵌合軸に嵌合する嵌合穴が穿設されるので、サムターン軸と着脱サムターンとが二重の嵌合構造で嵌合することとなり、軸線方向が短い嵌合長で、ガタツキの無い確実な嵌合を可能にすることができる。この結果、着脱サムターンの扉面からの突出高さを低くすることができる。
【００２２】
請求項２記載の防犯サムターンによれば、標示部材が、解錠標示領域を挟んで一対の施錠標示領域を有するので、防犯サムターンを右勝手又は左勝手のいずれの勝手違いにも適用することができる。
【００２３】
請求項３記載の防犯サムターンによれば、着脱サムターンの装着状態で、着脱サムターン軸部の周溝に操作部材の縁部が進入するので、着脱サムターンの脱落を規制することができる。
【００２４】
請求項４記載の防犯サムターンによれば、操作部材が、付勢手段によって着脱穴の少なくとも一部分を覆う摺動位置に配置されるので、着脱サムターンが脱着された状態では、化粧リングの表出穴が操作部材によって覆われ、棒等を着脱穴に挿入することによるサムターン軸の不正回動操作を困難にし、防犯性能を高めることができる。
【００２５】
請求項５記載の防犯サムターンは、サムターン軸外周にサムターン歯車が形成され、標示部材に歯部が形成されて、互いが噛合し連動連結されることとしたので、サムターン軸と標示部材とが歯車が噛み合うように構成されることとなり、標示部材はサムターン軸の回転に確実に従動することとなる。
【発明を実施するための最良の形態】
【００２６】
以下、本発明に係る防犯サムターンの好適な実施の形態を図面を参照して詳細に説明する。
図１は本発明に係る防犯サムターンの縦断面図、図２は本発明に係る防犯サムターンの横断面図、図３は図１に示した防犯サムターンの化粧リングを外した状態の正面図、図４は図１に示した防犯サムターンの分解側面図、図５は図２に示した防犯サムターンの分解平面図、図６は図１に示した防犯サムターンの分解斜視図、図７は着脱サムターンの縦断面図である。
扉１１の内部には錠箱１３が内蔵され、錠箱１３は内部に施錠機構１５を収容している。扉１１の屋外側の面には、錠箱１３に対して屋外側からの施解錠操作を可能にする不図示の屋外シリンダーユニットが取り付けれる。扉１１の屋内側の面には、本実施の形態に係る防犯サムターン１００が取り付けられている。
【００２７】
錠箱１３は、扉１１の木口側端部に内蔵され、錠箱１３に固定された図示しないフロント板が扉１１の木口（端面）に露出して取り付けられる。錠箱１３に内蔵された施錠機構１５には図示しないデッドボルトが設けられ、デッドボルトは屋外シリンダーユニット及び防犯サムターン１００の操作によって、錠箱１３に対して進退し、扉１１のフロント板から突出後退されるようになっている。つまり、扉枠に対しての施解錠を可能とする。ここでは、その具体的な機構の説明は省略する。
【００２８】
防犯サムターン１００は、基部材であるベース１７が、横方向に並んだ一対の固定ネジ１９，１９によって錠箱１３に螺着される。ベース１７の中央部には段部状の軸受け部２１が形成され、軸受け部２１はサムターン軸２３を回動自在に支持する。サムターン軸２３は、一端が錠箱１３内の施錠機構１５に連結される。サムターン軸２３の他端面には着脱穴２５が穿設される。なお、２７は固定ネジ１９，１９に外挿されて錠箱１３とベース１７とを離間固定するためのカラーである。
【００２９】
サムターン軸２３の外周にはサムターン歯車２３ａが形成され、このサムターン軸２３は後述する標示部材に噛合する。ベース１７にはブラケット２９が係合され、ブラケット２９は左右側部に折り曲げられた係止板２９ａ，２９ａを、図３に示すベース１７両側面の係止突起１７ａ，１７ａに係止してベース１７に取り付けられる。
【００３０】
ベース１７に取り付けられたブラケット２９のさらに外側には化粧リング３１が取り付けられる。化粧リング３１は、両側部に形成された上下の凹部或いは凸部（３１ａ，３１ａ）を、ベース１７両側部に突設或いは凹設した上下の突起或いは溝部に係合してベース１７に取り付けられる。
【００３１】
ブラケット２９にはサムターン軸２３の着脱穴２５を表出させる貫通孔３３が穿設されている。化粧リング３１にはこの貫通孔３３を介してサムターン軸２３の着脱穴２５を表出させる表出穴３５が穿設される。
【００３２】
サムターン軸２３の他端面とブラケット２９との間にはワッシャ３７を介して操作部材３９が図１の上下方向に摺動自在に設けられる。操作部材３９は、バネ座３９ａを、ベース１７の凹部１７ｃ（図４参照）に突出することで、下方への脱落が阻止される。また、操作部材３９の下端には扉１１方向に向かって折り曲げられた指掛け部３９ｂが設けられている。凹部１７ｃの天面とバネ座３９ａとの間には付勢手段であるコイルバネ４１が挟入され、コイルバネ４１は操作部材３９を下方向の摺動位置へ配置される。操作部材３９には挿通穴４３（図６参照）が穿設される。挿通穴４３は、挿通穴４３が下方向の摺動位置に配置されることで、化粧リング３１に穿設された表出穴３５の少なくとも一部分を、その略半円状の縁部４３ａによって覆う。また、挿通穴４３は、挿通穴４３が上方向の摺動位置に配置されることで、表出穴３５を全開させる。
【００３３】
挿通穴４３の縁部４３ａは後述する着脱サムターンの周溝に係合する。挿通穴４３は、通常状態、すなわち操作力が加えられない状態において、操作部材３９がコイルバネ４１によって付勢されることで、着脱穴２５の少なくとも一部分を覆う摺動位置に配置される。
【００３４】
ベース１７には軸受け部２１の上方に支持軸４５が突設され、支持軸４５は外周に歯部４７ａを有する標示部材４７が回動自在に支持される。標示部材４７の上部表面には標示領域４９が形成され、標示領域４９は、施錠標示領域と解錠標示領域とからなり、例えば各領域が色分けされているものなどで、施錠標示領域を例えば赤色とし解錠標示領域を青色などとしている。本実施の形態では、図６における約９０°の範囲の斜線部分を解錠表示領域として例えば青色とし、その他の標示部材４７の表面を施錠標示領域とする赤色などとしており、すなわち解錠標示領域を挟んで施錠標示領域が位置することとされている。この標示領域４９は、化粧リング３１に穿設された状態表示窓３１ｂから視認可能となる。標示部材４７は、歯部４７ａをサムターン歯車２３ａに噛合することで、サムターン軸２３と連動状態となりこのサムターン軸２３に従動する。
【００３５】
すなわち、標示部材４７は、施錠機構１５と連動するサムターン軸２３が施錠回転位置で、化粧リング３１の状態表示窓３１ｂに施錠標示領域を配置させ、サムターン軸２３が解錠回転位置で、状態表示窓３１ｂに解錠標示領域を配置させる。化粧リング３１は、これらサムターン軸２３、ブラケット２９、標示部材４７を覆うようにしてベース１７に取り付けられている。
【００３６】
化粧リング３１の表出穴３５には着脱サムターン５１の先端である着脱軸５１ａが着脱自在となる。着脱サムターン５１は、着脱軸５１ａの基端に板状の摘み部５１ｂが軸線と平行に固設される。摘み部５１ｂは、図７に示す上下方向の長さが、化粧リング３１の直径よりやや小さく形成される。なお、この摘み部５１ｂの形状については、この板状に限定されるものではなく、他の形状として構成してもよい。着脱軸５１ａと、サムターン軸２３の着脱穴２５には、双方に亘って回転向き規制手段５３が設けられている。本実施の形態で、回転向き規制手段５３が、着脱軸５１ａの上下面に突設された突起５１ｃ，５１ｃと、着脱穴２５の上下内面に形成された切欠部２５ａ，２５ａとからなる。また、着脱穴２５は略多角形穴とされるが、本実施の形態では略四角形角穴で形成され、着脱軸５１ａの先端はこの四角形穴に嵌入する四角柱で形成される。
【００３７】
着脱軸５１ａと着脱穴２５とに亘って回転向き規制手段５３が設けられることで、着脱サムターン５１は、サムターン軸２３の回転角度に応じた所定の回転角度で着脱穴２５に着脱自在となる。例えば、サムターン軸２３が解錠回転位置（図６に示した位置）では、摘み部５１ｂが垂直となる向き（図６に示した向き）でのみ、着脱サムターン５１が装着可能となる。また、サムターン軸２３が施錠回転位置では、摘み部５１ｂが水平となる向きでのみ、着脱サムターン５１が装着可能となる。
【００３８】
本実施の形態では、着脱穴２５の角穴中心に嵌合軸５５が突設され、着脱軸５１ａの先端には、この嵌合軸５５に嵌合する嵌合穴５７が穿設される。これにより、サムターン軸２３と着脱サムターン５１とが二重の嵌合構造で嵌合することとなり、軸線方向が短い嵌合長で、ガタツキの無い確実な嵌合を可能にすることができる。この結果、着脱サムターン５１の扉面１１ａからの突出高さを低くすることができる。
【００３９】
また、着脱サムターン５１の軸部には周溝５９が形成され、この周溝５９は操作部材３９の縁部４３ａと係合するようになっている。つまり、着脱サムターン５１の装着状態で、着脱サムターン軸部の周溝５９に操作部材３９の縁部４３ａが進入して、着脱サムターン５１の脱落が規制されるようになっている。
【００４０】
なお、本実施の形態では、標示部材４７が、解錠標示領域を挟んで一対の施錠標示領域を有している。したがって、化粧リング３１の状態表示窓３１ｂに解錠標示領域が標示されている状態から、着脱サムターン５１が右回転又は左回転のいずれの回転方向に回転操作されても、施錠標示領域が標示可能となる。これにより、防犯サムターン１００は、右勝手又は左勝手のいずれの勝手違いにも適用可能となっている。
【００４１】
次に、上記の構成を有する防犯サムターンの作用を説明する。
図８は着脱サムターン取り外し時における操作部材非操作状態での正面図、図９は着脱サムターン脱着時における操作部材押圧操作状態での正面図、図１０は着脱サムターン装着時における例えば解錠状態の正面図、図１１は着脱サムターン装着時における例えば施錠状態の正面図である。
防犯サムターン１００では、外出時や就寝時、着脱サムターン５１が化粧リング３１から脱着される。脱着には、図９に示すように、操作部材３９を上方に押圧することで、操作部材３９の縁部４３ａを着脱軸５１ａの周溝５９から外すことにより可能となる。すなわち、一方の手指で操作部材３９を押圧操作し、他方の手指にて着脱サムターン５１の脱着を行うこととなる。これにより、挿入した針金や棒等をサムターンに引っ掛けて、サムターンを回転することによる不正解錠が阻止される。
【００４２】
また、着脱サムターン５１が脱着された状態において、屋外シリンダーユニットが合鍵によって回動されれば、状態表示窓３１ｂに、サムターン軸２３に従動する標示部材４７の施錠標示領域又は解錠標示領域が標示されることとなり、着脱サムターン５１が取り外され、摘み部５１ｂの向き・状態が視認できない場合であっても、施錠機構１５の施解錠状態が把握可能となる。
【００４３】
一方、着脱サムターン５１を装着するには、一方の手で操作部材３９を押圧し、表出穴３５を開口させた状態で、他方の手で把持した着脱サムターン５１の着脱軸５１ａを挿入する。挿入の後、操作部材３９の押圧を解除することで、操作部材３９は、コイルバネ４１の付勢力によって下方へ摺動し、縁部４３ａが周溝５９に係合して、着脱サムターン５１の脱落が規制される。この際、着脱サムターン５１は、回転向き規制手段５３によって、サムターン軸２３の施解錠状態と一致する回転向きで装着される。すなわち、サムターン軸２３が解錠状態では、図１０に示すように、摘み部５１ｂが垂直状態でのみ装着可能となり、施錠状態では、図１１に示すように、摘み部５１ｂが水平状態でのみ装着可能となる。この装着の際の摘み部５１ｂの向きは、状態表示窓３１ｂに表出する標示部材４７の領域で判断が可能となる。
【００４４】
したがって、この防犯サムターン１００によれば、一端が施錠機構１５に連結され他端面に着脱穴２５を有したサムターン軸２３を、表出穴３５を介し着脱穴２５を表出させた状態で化粧リング３１によって覆い、化粧リング３１には表出穴３５の少なくとも一部分を覆い又は全開させる操作部材３９を設け、さらに、サムターン軸２３に噛合することで施錠標示領域又は解錠標示領域を化粧リング３１の状態表示窓３１ｂから表出させる標示部材４７を有し、サムターン軸２３の回転角度に応じた所定の回転角度で着脱穴２５に着脱自在となった着脱サムターン５１を備えたので、着脱サムターン５１を脱着しておくことで、外出時や就寝時等、挿入した針金や棒等をサムターンに引っ掛けて、サムターンを回転することによる不正解錠を阻止でき、防犯性を向上させることができる。
【００４５】
そして、着脱サムターン５１の装着時には、サムターン軸２３の施解錠状態と一致する回転向きで着脱サムターン５１を装着することができる。これにより、摘み部５１ｂの垂直又は水平姿勢により容易に施錠機構１５の施解錠状態を視認することができる。
【００４６】
また、着脱サムターン５１が、基端に板状の摘み部５１ｂを有する通常のサムターンと同一外観を有するので、着脱サムターン５１を装着したままであっても、通常のサムターンと違和感の無い使用感を得ることができる。
【００４７】
さらに、サムターン軸２３と連動する標示部材４７により、化粧リング３１の状態表示窓３１ｂから施解錠状態に応じた施錠標示領域、又は解錠標示領域を表出できるので、着脱サムターン５１が脱着され、摘み部５１ｂが視認できない場合であっても、状態表示窓３１ｂから施錠機構１５の施解錠状態を容易に把握することができる。
【００４８】
また、操作部材３９がコイルバネ４１によって着脱穴２５の少なくとも一部分を覆う摺動位置に配置されるので、着脱サムターン５１が脱着された状態では、化粧リング３１の表出穴３５が操作部材３９によって覆われ、棒等を着脱穴２５に挿入することによるサムターン軸２３の不正回動操作を困難にし、防犯性能を高めることができる。
【００４９】
さらに、ベース１７とブラケット２９との間隙に、サムターン軸２３、操作部材３９、標示部材４７、コイルバネ４１等を収容したので、化粧リング３１を薄厚に形成でき、扉面１１ａからの突出長の短く、見栄えの良い防犯サムターン１００を得ることができる。さらには、既存のサムターンから交換することも可能であり、防犯性を備えたサムターンを後付けで設置可能となる。
【図面の簡単な説明】
【００５０】
【図１】本発明に係る防犯サムターンの縦断面図である。
【図２】本発明に係る防犯サムターンの横断面図である。
【図３】図１に示した防犯サムターンの化粧リングを外した状態の正面図である。
【図４】図１に示した防犯サムターンの分解側面図である。
【図５】図２に示した防犯サムターンの分解平面図である。
【図６】図１に示した防犯サムターンの分解斜視図である。
【図７】着脱サムターンの縦断面図である。
【図８】着脱サムターン脱着時における操作部材非操作状態での正面図である。
【図９】着脱サムターン脱着時における操作部材押圧操作状態での正面図である。
【図１０】着脱サムターン装着時における例えば解錠状態の正面図である。
【図１１】着脱サムターン装着時における例えば施錠状態の正面図である。
【符号の説明】
【００５１】
１３…錠箱
１５…施錠機構
２３…サムターン軸
２５…着脱穴
３１…化粧リング
３１ｂ…状態表示窓
３５…表出穴
３９…操作部材
４１…付勢手段（コイルバネ）
４３ａ…操作部材の縁部
４７…標示部材
４９…標示領域
５１…着脱サムターン
５１ａ…着脱軸
５１ｂ…摘み部
５３…回転向き規制手段
５５…嵌合軸
５７…嵌合穴
５９…周溝
１００…防犯サムターン
【図１】
0004828272.tif 000002
【図２】
0004828272.tif 000003
【図３】
0004828272.tif 000004
【図４】
0004828272.tif 000005
【図５】
0004828272.tif 000006
【図６】
0004828272.tif 000007
【図７】
0004828272.tif 000008
【図８】
0004828272.tif 000009
【図９】
0004828272.tif 000010
【図１０】
0004828272.tif 000011
【図１１】
0004828272.tif 000012